(57)【特許請求の範囲】
【請求項１】
前方に形成され、前後方向に傾斜して形成された刃と、
後方に形成された把持部と、
前記刃と前記把持部との間に形成された連結部とを含む長尺の構造体を有し、
前記連結部にて一対の前記構造体を互いに回転可能に支持する回転軸と、
一対の前記構造体を互いに離間方向に付勢する弾性部材とを備え、
一対の前記把持部を互いに近付けることにより一対の前記刃が互いに接し、該刃にて甘皮を挟み込んで切断する甘皮切り具において、
一対の前記刃は、互いに接したときに対応する部位において、爪の基底部から爪側部へと繋がる付近の甘皮を切り取るための凸状の湾曲部と爪基底部中央付近の甘皮を切り取るための直線部とを有し、且つ当該湾曲部が前記直線部と連続して形成されると共に当該刃の縁に形成され、
更に、前記一対の刃を側面視したとき、前記直線部の接線と前記湾曲部の終点の接線の成す角度が直角又は鋭角とされている
ことを特徴とする甘皮切り具。
【請求項２】
一端に刃が形成されると共に他端側を把持部とする２本の長尺体が、前記刃と前記把持部との間で交差して互いに枢支されることにより前記把持部を接近させると前記２つの刃が当接して甘皮を切り取る甘皮切り具であって、
前記２つの刃が当接して形成される刃のラインには、爪の基底部から爪側部へと繋がる付近の甘皮を切り取るための凸状の湾曲部と爪基底部中央付近の甘皮を切り取るための直線部が備わり、
且つ当該湾曲部が前記直線部と連続して形成されると共に当該刃の縁に形成され、
更に、前記刃を側面視したとき、前記直線部の接線と前記湾曲部の終点の接線の成す角度が直角又は鋭角とされている
ことを特徴とする甘皮切り具。
【請求項３】
前記湾曲部は、前記刃の前端縁に形成されていることを特徴とする請求項１又は２に記載の甘皮切り具。
【請求項４】
前記湾曲部は、前記刃の後端縁に形成されていることを特徴とする請求項１又は２に記載の甘皮切り具。
【請求項５】
前記湾曲部は、曲率が互いに異なる湾曲部位を複数有していることを特徴とする請求項1〜４のいずれかに記載の甘皮切り具。
【発明の詳細な説明】
【技術分野】
【０００１】
本発明は、甘皮切り具、より詳しくはニッパー型の甘皮切り具に関するものである。
【背景技術】
【０００２】
甘皮切り器が特許文献１に開示されている。この甘皮切り器は、いわゆるキューティクルニッパーとよばれる甘皮切り器に関し、全体の形状として手掌に把持しやすい形状としたことを特徴の一つとしている。また、先端に直線上（長さにして約５ミリ程度）の且つ鋭利な刃を備えていて、この刃を使って甘皮を挟むようにして切り落とすのである。
【先行技術文献】
【特許文献】
【０００３】
【特許文献１】特開２００５−２７９３１号公報
【発明の概要】
【発明が解決しようとする課題】
【０００４】
しかしながら、上記特許文献１の甘皮切り器において、甘皮を切断する部位である刃自体は直線状である。したがって甘皮の中央付近を切り取る場合はそれほど問題ないが、甘皮の両サイド（爪の基底部から爪の側部へと繋がる付近）の甘皮を切断しようとする場合、この直線状の刃によって上手く甘皮を挟めない場合がある。即ち、爪のライン（特に曲線部）に沿って甘皮を切断することが困難である。また、刃全体が直線状となっていることから刃の前端部が側面視する鋭利な突起となっていて、この前端部で爪や皮膚を傷つけてしまう場合がある。
【０００５】
本発明は、甘皮全体を爪のラインに沿って容易に切断することができ、さらに爪を傷つけることなく甘皮を切断することができる甘皮切り具を提供することを目的とする。
【課題を解決するための手段】
【０００６】
前記目的を達成するため、請求項1の発明では、前方に形成され、前後方向に傾斜して形成された刃と、後方に形成された把持部と、前記刃と前記把持部との間に形成された連結部とを含む長尺の構造体を有し、前記連結部にて一対の前記構造体を互いに回転可能に支持する回転軸と、一対の前記構造体を互いに離間方向に付勢する弾性部材とを備え、一対の前記把持部を互いに近付けることにより一対の前記刃が互いに接し、該刃にて甘皮を挟み込んで切断する甘皮切り具において、一対の前記刃は、互いに接したときに対応する部位において、爪の基底部から爪側部へと繋がる付近の甘皮を切り取るための凸状の湾曲部と爪基底部中央付近の甘皮を切り取るための直線部とを有し、且つ当該湾曲部が前記直線部と連続して形成されると共に当該刃の縁に形成され、更に、前記一対の刃を側面視したとき、前記直線部の接線と前記湾曲部の終点の接線の成す角度が直角又は鋭角とされていることを特徴とする甘皮切り具を提供する。要するに一端に刃が形成されると共に他端側を把持部とする２本の長尺体が、前記刃と前記把持部との間で交差して互いに枢支されることにより前記把持部を接近させると前記２つの刃が当接して甘皮を切り取る甘皮切り具であって、前記２つの刃が当接して形成される刃のラインには、爪の基底部から爪側部へと繋がる付近の甘皮を切り取るための凸状の湾曲部と爪基底部中央付近の甘皮を切り取るための直線部が備わり、且つ当該湾曲部が前記直線部と連続して形成されると共に当該刃の縁に形成され、更に、前記刃を側面視したとき、前記直線部の接線と前記湾曲部の終点の接線の成す角度が直角又は鋭角とされていることを特徴とする甘皮切り具。
【０００７】
また、請求項３の発明では、前記湾曲部は、前記刃の前端縁に形成されていることを特徴としている。
【０００８】
また、請求項４の発明では、前記湾曲部は、前記刃の後端縁に形成されていることを特徴としている。
【０００９】
また、請求項５の発明では、前記湾曲部は、曲率が互いに異なる湾曲部位を複数有していることを特徴としている。
【発明の効果】
【００１０】
請求項１または２の発明によれば、刃は、直線部と凸状の湾曲部とを有するため、甘皮の部位に応じて直線部と湾曲部とを適宜切り替えて使用できる。即ち、比較的に直線的となっている爪基底部中央付近の甘皮を切り取る場合には、当該刃の直線部を利用して迅速且つ簡単に甘皮を切り取ることができる。一方、爪の基底部から爪側部へと繋がる付近の甘皮を切り取る場合は、凸状に湾曲した湾曲部を使用すれば容易に甘皮を根本から挟んで切り取ることができる。
【００１１】
請求項３の発明によれば、湾曲部が刃の前端縁に形成されているため、刃の前端縁で爪を傷つけてしまうことを防止でき、取扱い性が向上する。
【００１２】
請求項４の発明によれば、湾曲部が刃の後端縁に形成されているため、後端縁を利用した甘皮の切断が可能になり、種々の切断手法に適用できる。また、刃の後端縁で爪を傷つけてしまうことを防止でき、取扱い性が向上する。
【００１３】
請求項５の発明によれば、湾曲部に曲率が互いに異なる湾曲部位が複数設けられているので、異なる曲率の湾曲部位のうち最適な部位で甘皮を切断することができる。したがって、利用する人の爪のライン等の形状に応じて皮膚や爪を傷つけることなく甘皮を切断することができる。
【図面の簡単な説明】
【００１４】
【図１】本発明に係る甘皮切り具の平面図である。
【図２】本発明に係る甘皮切り具の側面図である。
【図３】刃の第１の実施例を示す概略側面図である。
【図４】刃の第２の実施例を示す概略側面図である。
【図５】刃の第３の実施例を示す概略側面図である。
【発明を実施するための形態】
【００１５】
図１及び図２に示すように、本発明に係る甘皮切り具１は、長尺の構造体２が回転軸３で交差するように連結されている。構造体２の前方には、前後方向に刃４が形成されている。構造体２の後方には、把持部５が形成されている。刃４と把持部５との間には連結部６が形成され、この連結部６にて一対の構造体２が上述した回転軸３で互いに回転可能に連結されている。構造体２は側面視において略直線状である。連結部６は把持部５の厚みの半分程度であり、したがって連結部６が重なっても互いの構造体２における把持部６は側面視にて重なっている。
【００１６】
一対の把持部５の間には、弾性部材７が設けられている。この弾性部材７は、例えば板ばねであり、図では板ばねの先端を噛み合わせて把持部５を互いに外方（離間方向）に付勢するように取り付けられている。このように外方に付勢するものであれば、弾性部材７としてはスプリング等、どのような部材を用いてもよい。また、弾性部材７は構造体２における回転軸３よりも刃４が設けられている側に備えてもよい。
【００１７】
甘皮を切断する場合、利用者は一対の把持部５を持ち、一対の刃４の間に甘皮を位置させる。そして、一対の把持部５を弾性部材７に抗して握ることによって一対の把持部５を近接する方向に移動させる。このとき、回転軸３を介した反対側の一対の刃４同士も近接する。そして、一対の刃４は互いに接し、甘皮を挟み込んで切断する。より詳しくは、刃４の刃線となる鋭利な先端が甘皮を挟み込むことにより切断する。この切断プロセスはニッパーによる切断と略同一であるから、本発明に係る甘皮切り具１はニッパー型といえる。
【００１８】
図３に示すように、刃４は、刃のラインを側面視すると、直線部８と凸状の湾曲部９とを有している。図３では、刃４の前端縁に湾曲部９が形成されている。このように、刃４の一部に湾曲部９を設けることで、湾曲部９を利用して爪（甘皮）のラインに沿って甘皮を切断することができ、取扱い性が向上する。さらに、図３のように刃４の前端縁に湾曲部９を形成することにより、刃４の前端縁が鋭角とならないので、当該前端縁で爪を傷つけてしまうことを防止でき、取扱い性が向上する。特に、爪の下側角部の甘皮を切断する際に、湾曲部９があることにより爪あるいはその周りの皮膚を傷つけることを防止できる。
【００１９】
また、図４に示すように、刃４の後端縁にさらに湾曲部９を設けてもよい。このように、湾曲部を複数（図４では二つ）設けることにより、何れの湾曲部９を用いても効率よく甘皮を切断することができる。また、刃４の後端縁を利用した甘皮の切断が可能になり、種々の切断手法に適用できる。なお、図４では刃４の前後両端縁に湾曲部９を設けた例を示したが、後端縁のみに湾曲部９を設けてもよい。その他の構造、効果は図３の例と同様である。
【００２０】
また、図５に示すように、湾曲部９に曲率が互いに異なる湾曲部位１０を複数設けてもよい（図５では２つの湾曲部位１０ａ、１０ｂ）。図５では、湾曲部位１０ａの曲率が湾曲部位１０ｂの曲率より大きい例を示している。このように連続した一つの湾曲部９において、異なる曲率の湾曲部位１０ａ、１０ｂを設けることで、異なる曲率の湾曲部位１０ａ、１０ｂのうち最適な部位で甘皮を切断することができる。したがって、利用する人の爪のライン等の形状に応じた甘皮の切断ができ、その際に皮膚や爪を傷つけることも防止できる。なお、上述した図４のように、刃４の前後両端縁に湾曲部９を設けた場合、それぞれの湾曲部９の曲率を異なるようにしても同様の効果を得ることができる。その他の構造、効果は図３の例と同様である。
【符号の説明】
【００２３】
１  甘皮切り具
２  構造体
３  回転軸
４  刃
５  把持部
６  連結部
７  弾性部材
８  直線部
９  凸状の湾曲部
１０  湾曲部位
１１  エッジ
【要約】
【課題】甘皮を爪のラインに沿って容易に切断することができ、さらに爪を傷つけることなく甘皮を切断することができる甘皮切り具を提供する。
【解決手段】前方に形成され、前後方向に形成された刃４と、後方に形成された把持部と、前記刃４と前記把持部との間に形成された連結部とを含む長尺の構造体を有し、前記連結部にて一対の前記構造体を互いに回転可能に支持する回転軸と、一対の前記構造体を互いに離間方向に付勢する弾性部材とを備え、一対の前記把持部を互いに近付けることにより一対の前記刃４が互いに接し、該刃４にて甘皮を挟み込んで切断する甘皮切り具において、一対の前記刃４は、互いに接したときに対応する部位において、凸状の湾曲部９と直線部８とを有する。
【選択図】図１【図１】
0004674878.tif 000002
【図２】
0004674878.tif 000003
【図３】
0004674878.tif 000004
【図４】
0004674878.tif 000005
【図５】
0004674878.tif 000006